(57)【要約】【課題】  本発明は、テスト信号発生装置に関し、例えば放送システムの試験に適用して、ブラックバースト信号に混入するノイズを定量的にシミュレートすることができるようにする。【解決手段】  本発明は、カラーバースト信号ＳＢＢに位相ノイズを重畳してブラックバースト信号Ｓ５を生成する。【選択図】        図１
2006080710.tif 000002
【特許請求の範囲】
【請求項１】
カラーバースト信号を生成する信号生成回路と、
前記カラーバースト信号に位相ノイズを重畳する位相ノイズ重畳回路と、
前記カラーバースト信号を用いてブラックバースト信号を生成して出力する信号発生回路と
を備えることを特徴とするテスト信号発生装置。
【請求項２】
前記信号生成回路は、
基準信号を発生する水晶発振回路と、
前記基準信号と前記カラーバースト信号とを位相比較して位相比較結果を出力する位相比較回路と、
前記位相比較結果に基づいて正弦波信号を発生する電圧制御型発振回路と、
水平同期信号を基準にして前記正弦波信号を選択的に出力する基準信号発生回路とを有し、
前記位相ノイズ重畳回路は、
ノイズ信号の加算により前記位相比較結果の信号レベルを変化させて、前記カラーバースト信号に位相ノイズを重畳する
ことを特徴とする請求項１に記載のテスト信号発生装置。
【発明の詳細な説明】
【技術分野】
【０００１】
本発明は、テスト信号発生装置に関し、例えば放送システムの試験に供することができる。本発明は、カラーバースト信号に位相ノイズを重畳してブラックバースト信号を生成することにより、ブラックバースト信号に混入するノイズを定量的にシミュレートすることができるようにする。
【背景技術】
【０００２】
従来、放送システム等においては、テスト信号発生装置を用いて各種テスト信号を発生して放送機器を試験するようになされており、このようなテスト信号発生装置に関して、例えば特開平７−２６４６３号公報等には、カラーテレビジョン用のテスト信号発生装置が提案されている。
【０００３】
これに対して放送システムでは、いわゆるブラックバースト信号を用いて局内同期を確保するようになされている。因みに、放送システムにおいては、近年、ＮＹＳＣ方式のみによりシステムから、ＥＤＴＶ方式、ＨＤＴＶ方式等が混在する複雑なシステムとなっており、このような複雑なシステムにおいても、その多くは、ブラックバースト信号を用いて局内同期を確立している。
【０００４】
ここでブラックバースト信号Ｓ２は、図４に示すように、映像期間を黒レベルの信号レベルに設定した映像信号であり、水平同期信号ＨＤ、垂直同期信号、カラーバースト信号ＳＢを合成して作成される。
【０００５】
図５は、このブラックバースト信号Ｓ２に係る信号発生装置を示すブロック図である。この信号発生装置１において、水晶発振器２は、所定周波数の基準信号Ｓ１を生成して出力し、ＰＬＬ回路３は、位相比較回路であり、この基準信号Ｓ１と基準信号発生器４から出力されるカラーバースト信号ＳＢとを位相比較して位相比較結果を出力する。電圧制御型発振回路（ＶＣＯ）５は、この位相比較結果により周波数を可変して正弦波信号を出力し、基準信号発生器４は、この電圧制御型発振回路５の出力信号を水平同期信号ＨＤを基準にした所定期間の間、選択的に出力し、これによりカラーバースト信号ＳＢを出力する。これによりこの信号発生装置１では、水晶発振器２から出力される基準信号Ｓ１を基準にしてカラーバースト信号ＳＢを生成する。しかしてこのようにして生成されるカラーバースト信号ＳＢは、図６に示すように、サイドバンドの小さな正弦波信号である。
【０００６】
続くテレビ信号発生器６は、このカラーバースト信号ＳＢと同様にして作成された水平同期信号ＨＤ、垂直同期信号とを合成してブラックバースト信号Ｓ２を生成する。
【０００７】
ところでこのようにして生成されるブラックバースト信号Ｓ２は、本来、ノイズの無いいわゆる綺麗な信号である。しかしながらこのようなブラックバースト信号Ｓ２を放送システムで使用する場合、ノイズが混入する場合があり、一旦混入したノイズにあっては、除去することが難しい。
【０００８】
これによりこのような放送システムに適用される各種の映像機器は、ブラックバースト信号Ｓ２に混入したノイズによっては誤動作しないことが求められる。このためこのような映像機器の開発においては、動作の検証のために、ブラックバースト信号に混入するノイズを定量的にシミュレートすることが望まれる。
【特許文献１】特開平７−２６４６３号公報
【発明の開示】
【発明が解決しようとする課題】
【０００９】
本発明は以上の点を考慮してなされたもので、ブラックバースト信号に混入するノイズを定量的にシミュレートすることができるテスト信号発生装置を提案しようとするものである。
【課題を解決するための手段】
【００１０】
かかる課題を解決するため請求項１の発明においては、カラーバースト信号を生成する信号生成回路と、前記カラーバースト信号に位相ノイズを重畳する位相ノイズ重畳回路と、前記カラーバースト信号を用いてブラックバースト信号を生成して出力する信号発生回路とを備えるようにする。
【００１１】
また請求項２の発明においては、請求項１の構成において、前記信号生成回路は、基準信号を発生する水晶発振回路と、前記基準信号と前記カラーバースト信号とを位相比較して位相比較結果を出力する位相比較回路と、前記位相比較結果に基づいて正弦波信号を発生する電圧制御型発振回路と、水平同期信号を基準にしたタイミングで前記正弦波信号を選択的に出力する基準信号発生回路とを有し、前記位相ノイズ重畳回路は、ノイズ信号の加算により前記位相比較結果の信号レベルを変化させて、前記カラーバースト信号に位相ノイズを重畳する。
【００１２】
請求項１の構成により、カラーバースト信号を生成する信号生成回路と、前記カラーバースト信号に位相ノイズを重畳する位相ノイズ重畳回路と、前記カラーバースト信号を用いてブラックバースト信号を生成して出力する信号発生回路とを備えるようにすれば、ノイズの混入したブラックバースト信号を生成することができ、これによりブラックバースト信号に混入するノイズを定量的にシミュレートすることができる。
【００１３】
また請求項２の構成により、請求項１の構成において、前記信号生成回路は、基準信号を発生する水晶発振回路と、前記基準信号と前記カラーバースト信号とを位相比較して位相比較結果を出力する位相比較回路と、前記位相比較結果に基づいて正弦波信号を発生する電圧制御型発振回路と、水平同期信号を基準にしたタイミングで前記正弦波信号を選択的に出力する基準信号発生回路とを有し、前記位相ノイズ重畳回路は、ノイズ信号の加算により前記位相比較結果の信号レベルを変化させて、前記カラーバースト信号に位相ノイズを重畳すれば、高い精度によりカラーバースト信号を生成して位相ノイズを重畳し、位相比較結果の信号レベルの変化の大きさを可変して位相ノイズの大きさ及び周波数を変化させることができる。
【発明の効果】
【００１４】
本発明によれば、ブラックバースト信号に混入するノイズを定量的にシミュレートすることができる。
【発明を実施するための最良の形態】
【００１５】
以下、適宜図面を参照しながら本発明の実施例を詳述する。
【実施例１】
【００１６】
（１）実施例の構成
図１は、本発明の実施例に係るテスト信号発生装置を示すブロック図である。このテスト信号発生装置１１において、図４について上述した信号発生装置１と同一の構成は、対応する符号を付して示し、重複した説明は省略する。これによりこのテスト信号発生装置１１は、水晶発振器２、ＰＬＬ回路３、基準信号発生器４、電圧制御型発振回路５によりカラーバースト信号ＳＢＢを生成し、テレビ信号発生器６によりこのカラーバースト信号ＳＢＢを水平同期信号ＨＤ、垂直同期信号と合成してブラックバースト信号Ｓ５を生成する。
【００１７】
テスト信号発生装置１１は、このカラーバースト信号ＳＢＢの生成に供するフィールドバックループにおいて、ＰＬＬ回路３から出力される位相誤差信号Ｓ６を位相ノイズ重畳回路１２により変動させることにより、カラーバースト信号ＳＢＢに位相ノイズを重畳する。すなわちテスト信号発生装置１１において、信号発生器１５は、図示しない操作子の操作によりオペレータが位相ノイズの重畳を指示すると、中央処理ユニット１３の制御によりノイズ信号Ｓ７を生成して出力し、加算回路１４は、この加算信号Ｓ７をＰＬＬ回路３から出力される位相比較結果に加算する。
【００１８】
この実施例において、このノイズ信号Ｓ７は、例えば水平走査周期毎に、０〔Ｖ〕を中心にして信号レベルがランダムに切り換わるように生成され、これによりカラーバースト信号ＳＢＢは、図２に示すように、メインキャリアに対して水平走査周波数によるサイドバンドが形成された周波数特性により形成される。またこれにより図３に示すように、ブラックバースト信号Ｓ５は、このノイズ信号Ｓ７により位相ノイズが重畳されて形成される。
【００１９】
中央処理ユニット１３は、所定の処理手順の実行により、位相ノイズの重畳を指示する操作子が操作されると、ノイズ信号Ｓ７の信号レベルの設定を指示する制御信号を水平走査周期毎に出力する。また基準信号発生器４から出力されるカラーバースト信号ＳＢＢの監視により、位相ノイズの大きさを検出して図示しない表示手段に表示する。またこれらの指示によりカラーバースト信号ＳＢＢに重畳される位相ノイズの大きさがユーザーにより指示された大きさになるように、信号発生器１５により生成されるノイズ信号Ｓ７の信号レベルを制御する。
【００２０】
（２）実施例の動作
以上の構成において、このテスト信号発生装置１１では、水晶発振器２で生成される基準信号Ｓ１と基準信号発生器４で生成されるカラーバースト信号ＳＢＢとがＰＬＬ回路３により位相比較され、この位相比較による位相比較結果により電圧制御型発振回路５の動作が制御され、これにより基準信号Ｓ１を基準にしてカラーバースト信号ＳＢＢの周波数による正弦波信号が生成される。このテスト信号発生装置１１では、この正弦波信号が水平同期信号ＨＤを基準にした所定期間の間、基準信号発生器４を介して出力され、これによりカラーバースト信号ＳＢＢが生成される。またこのカラーバースト信号ＳＢＢが、テレビ信号発生器６により水平同期信号ＨＤ、垂直同期信号と合成されてブラックバースト信号Ｓ５が生成される。
【００２１】
テスト信号発生装置１１では、このようにしてカラーバースト信号ＳＢＢ、ブラックバースト信号Ｓ５を生成するようにして、ユーザーによる指示に応じて信号発生器１５でノイズ信号Ｓ７が生成され、このノイズ信号Ｓ７が加算回路１４によるＰＬＬ回路３の位相比較結果に重畳される。これによりカラーバースト信号ＳＢＢは、このノイズ信号Ｓ７の信号レベルに応じて、本来の周波数から偏位して生成され、位相ノイズが重畳される。
【００２２】
またユーザーによる指示により、このノイズ信号Ｓ７の信号レベルが可変され、これによりカラーバースト信号ＳＢＢにおける周波数偏位の大きさが制御され、位相ノイズの大きさ及び周波数がユーザーにより指示された大きさ及び値に設定される。
【００２３】
これによりこのテスト信号発生装置１１では、テレビ信号発生器６から出力されるブラックバースト信号Ｓ５を試験対象の映像機器に入力して、また放送システムの局内同期信号として出力して、映像機器、放送システムのノイズ耐性を種々に検証することができる。
【００２４】
（３）実施例の効果
以上の構成によれば、カラーバースト信号に位相ノイズを重畳してブラックバースト信号を生成することにより、ブラックバースト信号に混入するノイズを定量的にシミュレートすることができる。これにより放送システム全体の安定度を簡易かつ確実に検証することができる。
【産業上の利用可能性】
【００２５】
本発明は、テスト信号発生装置に関し、例えば放送システムの試験に供することができる。
【図面の簡単な説明】
【００２６】
【図１】本発明の実施例に係るテスト信号発生装置を示すブロック図である。
【図２】図１のテスト信号発生装置によるカラーバースト信号の周波数特性を示す特性曲線図である。
【図３】図１のテスト信号発生装置によるブラックバースト信号を示す信号波形図である。
【図４】従来の信号発生装置によるブラックバースト信号を示す信号波形図である。
【図５】従来の信号発生装置を示すブロック図である。
【図６】従来のブラックバースト信号におけるカラーバースト信号を示す特性曲線図である。
【符号の説明】
【００２７】
１……信号発生装置、２……水晶発振器、３……ＰＬＬ回路、４……基準信号発生器、５……電圧制御型発振回路、６……テレビ信号発生器、１２……位相ノイズ重畳回路、１３……中央処理ユニット、１１４……加算回路、１５……信号発生器
【図１】
2006080710.tif 000003
【図２】
2006080710.tif 000004
【図３】
2006080710.tif 000005
【図４】
2006080710.tif 000006
【図５】
2006080710.tif 000007
【図６】
2006080710.tif 000008